(57)【要約】  本発明は、プラスチック材料からなる少なくとも１つの壁（２０）と、電磁波用の空洞（８０）を形成する少なくとも１つのハウジング（９０）とを含む、電動陸上車両（２００）の車体部品（１０）に関し、ハウジング（９０）は、このハウジング（９０）内で電磁波を送信および／または受信するための少なくとも１つの送受信機（５０）と、送受信機（５０）から送信された電磁波を所定の方向に（制御式に）反射し、また、その逆にハウジング（９０）の外側からの電磁波を送受信機（５０）に向けて反射可能な、少なくとも１つの適応表面（６０）とを含む。
2021536574.tif 000002
【特許請求の範囲】
【請求項１】
プラスチック材料からなる少なくとも１つの壁（２０）を含む、電動陸上車両（２００）の車体部品（１０）において、電磁波用の空洞（８０）を形成する少なくとも１つのハウジング（９０）を含み、前記ハウジング（９０）は、
・前記ハウジング（９０）内で電磁波を送信および／または受信するための少なくとも１つの送受信機（５０）と、
・前記送受信機（５０）から送信された電磁波を（制御式に）所定の方向に反射し、また、その逆に前記ハウジング（９０）の外側からの電磁波を前記送受信機（５０）に向けて反射可能な、少なくとも１つの適応表面（６０）と、
を含むことを特徴とする車体部品。
【請求項２】
前記空洞（８０）が少なくとも１つの開口部（１００）を含み、電磁波が、前記開口部（１００）を介して前記電磁空洞（８０）の外側に向けて送信されるか、または前記電磁空洞（８０）の外側から受信される、請求項１に記載の車体部品（１０）。
【請求項３】
前記空洞（８０）が、空気または、前記壁（２０）の残りの部分を形成するプラスチック材料とは異なるプラスチック材料または、前記壁（２０）の残りの部分を形成するプラスチック材料と同じプラスチック材料で充填される、請求項２に記載の車体部品（１０）。
【請求項４】
前記適応表面（６０）が、前記適応表面（６０）のインピーダンスを変更するとともに前記適応表面（６０）により電磁波が反射および／または伝搬される方法を変更するための複数の調整素子（６２）を含む、請求項３に記載の車体部品（１０）。
【請求項５】
前記適応表面（６０）の調整素子（６２）が、トランジスタ、ダイオード、バリキャップダイオード、および／または圧電素子等の電子部品を含む、請求項４に記載の車体部品（１０）。
【請求項６】
前記適応表面（６０）が、前記適応表面（６０）の前記調整素子（６２）を制御可能なコントローラ（１１０）に接続される、請求項４から５のいずれか一項に記載の車体部品（１０）。
【請求項７】
前記車体部品（１０）の変形後、前記コントローラ（１１０）が前記調整素子（６２）を再構成可能である、請求項６に記載の車体部品（１０）。
【請求項８】
前記コントローラ（１１０）は、前記送受信機（５０）から送信される電磁波が外面（３０）の前に位置する三次元空間を走査するように前記調整素子（６２）を制御可能である、請求項６および７のいずれか一項に記載の車体部品（１０）。
【請求項９】
前記送受信機（５０）が、様々な周波数、特に７７ＧＨｚで電磁波を送信および／または受信可能である、先行請求項のいずれか一項に記載の車体部品（１０）。
【請求項１０】
前記ハウジング（９０）が、前記空洞（８０）の内部で電磁波を反射可能な少なくとも１つの反射素子（７０）を含む、先行請求項のいずれか一項に記載の車体部品（１０）。
【請求項１１】
前記反射素子（７０）と前記適応表面（６０）が前記電磁空洞（８０）を画定する、請求項１０に記載の車体部品（１０）。
【請求項１２】
前記反射素子（７０）が、前記送受信機から送信された電磁波を前記適応表面（６０）のほぼ全面に反射可能である、請求項１０および１１のいずれか一項に記載の車体部品（１０）。
【請求項１３】
前記反射素子（７０）が、前記車体部品（１０）の外面（３０）の少なくとも一部に固定された第１のフィルムである、請求項１０から１２のいずれか一項に記載の車体部品（１０）。
【請求項１４】
前記第１のフィルムが金属フィルムである、請求項１３に記載の車体部品（１０）。
【請求項１５】
前記適応表面（６０）が、前記車体部品（１０）の内面（４０）の少なくとも一部に固定された第２のフィルムを構成する、先行請求項のいずれか一項に記載の車体部品（１０）。
【請求項１６】
前記壁（２０）は、前記送受信機（５０）と前記適応表面（６０）とが内部に組み込まれる電磁波用の電磁空洞（８０）を形成し、前記フィルムが少なくとも１つの開口部（１００）を含み、電磁波が前記開口部（１００）を介して前記空洞の外側に向けて送信されるかまたは前記空洞の外側から受信される、請求項１５に記載の車体部品（１０）。
【請求項１７】
前記開口部（１００）の大きさを調整できる、請求項１６に記載の車体部品（１０）。
【請求項１８】
前記壁（２０）は、最小長さ８０ｃｍ、最小幅３０ｃｍであり、厚さが５ｍｍ未満、好ましくは２ｍｍ〜４ｍｍである、先行請求項のいずれか一項に記載の車体部品（１０）。
【請求項１９】
バンパを構成する、先行請求項のいずれか一項に記載の車体部品（１０）。
【請求項２０】
先行請求項のいずれか一項に記載の車体部品（１０）を含む電動陸上車両（２００）。
【請求項２１】
前記コントローラ（１１０）は、前記送受信機（５０）から送信される電磁波が前記電動陸上車両（２００）の周辺で三次元空間を走査するように前記調整素子（６２）を制御可能である、請求項２０に記載の電動陸上車両（２００）。
【発明の詳細な説明】
【技術分野】
【０００１】
本発明は、所望の方向に電磁波を送信および／または受信するための指向性アンテナを備えた電動陸上車両、たとえば自動車の分野に関する。アンテナは、全方向に同じように電磁波を送信および／または受信する場合、等方性である。アンテナは、正確な一つの方向に電磁波を送信および／または受信する場合、指向性である。
【背景技術】
【０００２】
遠隔システムと通信して様々な情報を送信または受信するために、このようなアンテナを備えた車両が知られている。これらのアンテナは一般に車両のルーフに配置されるが、しかし、一部はリヤハッチやボンネット等の他の車体部品にも配置される。
【０００３】
車両の前方および後方のバンパに一般に配置されるレーダータイプの装置を備えた車両も同様に知られている。実際、特に安全上の様々な理由から、たとえばＡＣＣ（「Adaptative Cruise Control（追従型クルーズコントロール）」）タイプのレーダーを自動車に装備することが知られている。このようなレーダーは特に、道路の交通量および／または障害物に応じて車両の速度を調整する役割を果たす。レーダーは、レーダー搭載車両の前にある物体の速度と距離を検知し、特に車間安全距離を維持する。
【０００４】
一般に、自動車産業におけるレーダー用途の中で重要な分野は、たとえば駐車操作補助システム、後退補助システムもしくは歩行者保護装置、あるいはこの種の他のシステム等の様々な設備に対して車両の周りの周辺全体をみることができるように、レーダーモジュールが組み込まれることがますます増えている車両の車体の分野である。
【０００５】
自動車の製造業者は、車両の周辺環境をよりよく特徴づけるために、一方では、電磁波によりスキャンされる車両の周りの調査容積の大きさを改善できる装置を、他方では、これらの装置から送られる情報の処理解像度を改善可能な装置を研究している。これは、車両がその環境とできるだけ適切に相互作用することによって、特に事故を回避し、運転を容易にし、自動で走行するようにするためのものである。
【０００６】
そのため、ＬＩＤＡＲやカメラ等の装置を備える車両が次第に多くなっている。
【０００７】
障害物の位置と距離に関する情報に追加される情報を得るには、空間分解能が高い装置が求められる。空間分解能は、分解能（pouvoir de resolutionまたはpouvoir de separation）とも呼ばれ、細かいものを区別するための測定または観察装置の能力を表す。これは、２つの隣接地点を適切に識別するために分離すべき最小距離を特徴としうる。
【０００８】
この解像距離は、観察のために用いられる電波の波長と観察装置の開口部の大きさとの比に応じて決まる。そのため、空間分解能を高めるには、すなわち解像距離を縮めるには、波長を短くすること（電波の周波数を高くすること）、および／または観察装置の開口部を大きくすることが必要である。
【０００９】
そのため、今日では、レーダー周波数を高くするともに、また、所定の面積に配分されるレーダー数を増やそうとしている。車両で利用できるスペースは限られているので、そのため、レーダーを小型化することも同様に求められている。
【００１０】
しかし、所定の面積に配分されるレーダー数を増やすとコストが高くなる。
【００１１】
さらに、レーダー数を増すと多数の無線周波数トラックの供給が必要になり、これは複雑かつ高価でエネルギー消費が大きい。
【００１２】
また、レーダーがだんだん小型化されていっても、所定の面積に配分されるレーダー数が増えれば、各レーダー間では最小距離を保つことが必要であるだけに、一般には面積が大型化する。
【００１３】
加えて、車体部品により支持されるレーダーが直面する問題はレーダーの配置に関与する。なぜなら、レーダーを支持する車体部品が変形した場合でも（衝突、熱膨張など）、レーダー機能が適正に実行されるべくレーダーの完全さを確保することが重要であるからである。したがって、レーダー機能の使用期間全体にわたってレーダーの適切な配置（送信／受信方向の維持）を保証しなければならない。
【発明の概要】
【発明が解決しようとする課題】
【００１４】
本発明は、（車体部品自体の大きさとの関連で）大型面積から所定の方向に電磁波を送信および／または受信可能な少なくとも１つの指向性アンテナを備えた、電動陸上車両の車体部品を提供することによって、上記の不都合を解消することを目的とする。
【課題を解決するための手段】
【００１５】
このため、本発明は、プラスチック材料からなる少なくとも１つの壁を含む、電動陸上車両の車体部品に関し、この車体部品は、電磁波用の空洞を形成する少なくとも１つのハウジングを含み、このハウジングは、
・ハウジング内で電磁波を送信および／または受信するための少なくとも１つの送受信機と、
・送受信機から送信された電磁波を所定の方向に（制御式に）反射し、また、その逆にハウジングの外側からの電磁波を送受信機に向けて反射可能な、少なくとも１つの適応表面と、
を含む。
【００１６】
このようなシステムでは、高解像度の４Ｄ画像を実現可能な高解像度のレーダーが得られる。したがって、距離（たとえばｘ座標による）と速度だけを測定する現在の単一レーダーとは違って、座標（ｘ、ｙ、ｚ）によって環境を一続きで単独で再現して速度を測定可能なイメージレーダーが得られる。
【００１７】
さらに、このようにして、通常の電子工学（電気信号）により適応表面（いわゆるメタサーフェス）を制御し、送受信機から送信された電磁波を「波形整形」してイメージレーダーに変換することができる。
【００１８】
このシステムは、また、外形寸法が非常に小さく、車体部品の壁間の厚さが薄く、エネルギー消費が少ない。なぜなら、システムは送受信機から大型面積に向けて送信することによりもっぱら反射に働きかけるので無線周波数トラックを供給する必要がないからである。適応表面を変更するには単に電磁制御からシフトさせるだけである。
【００１９】
電磁波はある特定の容積内で送信されるので、したがって大型アンテナを供給するよりもずっと簡単である。エネルギー損失がなく減衰も少ないので、レーダーの大型面積に向かって進んでいって大型面積をカバーすることができ、そのコストも安い。しかも、この面積は車両の外側に最も近いところにある。なぜなら、電磁波透過材料をできるだけ少なくした車体部品自体をめざしているからである。
【００２０】
車体部品は、さらに、単独または組み合わせで以下の１つまたは複数の特徴を含むことができる：
・空洞が少なくとも１つの開口部を含み、電磁波が、この開口部を介して電磁空洞の外側に向けて送信されるか、または電磁空洞の外側から受信される。
・空洞が、空気または、壁の残りの部分を形成するプラスチック材料とは異なるプラスチック材料または、壁の残りの部分を形成するプラスチック材料と同じプラスチック材料で充填される。
・適応表面が、この適応表面のインピーダンスを変更するとともに適応表面により電磁波が反射および／または伝搬される方法を変更するための複数の調整素子を含む。
・適応表面の調整素子が、トランジスタ、ダイオード、バリキャップダイオード、および／または圧電素子等の電子部品を含む。
・適応表面が、この適応表面の調整素子を制御可能なコントローラに接続される。
・車体部品の変形後、コントローラが調整素子を再構成可能である。
・コントローラは、送受信機から送信される電磁波が、外面の前に位置する三次元空間を走査するように調整素子を制御可能である。
・送受信機が、様々な周波数、特に７７ＧＨｚで電磁波を送信および／または受信可能である。
・ハウジングが、空洞の内部で電磁波を反射可能な少なくとも１つの反射素子を含む。
・反射素子と適応表面が電磁空洞を画定する。
・反射素子が、送受信機から送信された電磁波を適応表面のほぼ全面に反射可能である。
・反射素子が、車体部品の外面の少なくとも一部に固定された第１のフィルムである。
・第１のフィルムが金属フィルムである。
・適応表面が、車体部品の内面の少なくとも一部に固定された第２のフィルムを構成する。
・壁は、送受信機と適応表面とが内部に組み込まれる電磁波用の電磁空洞を形成し、フィルムが少なくとも１つの開口部を含み、電磁波が開口部を介して空洞の外側に向けて送信されるかまたは空洞の外側から受信される。
・開口部の大きさを調整できる。
・壁は、最小長さ８０ｃｍ、最小幅３０ｃｍであり、厚さが５ｍｍ未満、好ましくは２ｍｍ〜４ｍｍである。
・車体部品がバンパを構成する。
【００２１】
本発明は、また、本発明による車体部品を含む電動陸上車両を目的とする。
【００２２】
コントローラは、有利には、送受信機から送信される電磁波が電動陸上車両の周辺で三次元空間を走査するように調整素子を制御可能である。
【図面の簡単な説明】
【００２３】
本発明は、もっぱら例として挙げられ添付図面を参照しながらなされた以下の説明を読めば、いっそう理解されるであろう。
【図１】本発明による車体部品の一例であるフロントバンパを示す図である。
【図２】図１のバンパのＡ−Ａ’線による横断面図である。
【図３】図２の適応表面を示す図である。
【図４】車体部品の別の例を示す図であり、車体部品が２個の電磁空洞を含んでいる。
【発明を実施するための形態】
【００２４】
最初に、電動陸上車両２００の車体部品１０の一例を示す図１を参照する。この例によれば、車体部品１０はフロントバンパである。しかし、本発明は、車両のリヤバンパ、ハッチ、開閉部（portiere）、ルーフ、ボンネット、ドア、または車体下部等のあらゆる車体部品に関する。有利には、本発明は大型の車体部品に関する。大型とは、約３００ｃｍ２を超える面積を有する部品である。
【００２５】
車体部品１０は、車両２００の外側に向けられるように構成された外面３０と、この外面の反対側にある内面４０とを備えた少なくとも１つの壁２０を含む。
【００２６】
図１の車体部品のＡ−Ａ’線による横断面を示し、したがってバンパの横断面を示している図２に詳しく示したように、壁２０は、電磁波用の空洞８０を形成する少なくとも１つのハウジング９０を含み、ハウジング９０は：
・ハウジング９０内で電磁波を送信および／または受信するための少なくとも１つの送受信機５０と、
・送受信機５０から送信された電磁波を制御された方法で、すなわち所定の方向に反射し、また、その逆にハウジング９０の外側からの電磁波を送受信機５０に向けて反射可能な、少なくとも１つの適応表面６０と、
を含む。
【００２７】
電磁空洞８０は少なくとも１つの開口部１００を含み、電磁波は、開口部１００を介して電磁空洞８０の外側に向けて送信され、または外側から受信される。したがって、開口部１００は、壁２０の外側に向けて電磁波を少なくとも部分的に漏洩したままにする電磁的な意味での開口部である。１つの実施形態によれば、開口部１００の大きさは、たとえば開口部１００の一部分の透過率を電子工学的に変えることによって調整可能である。
【００２８】
これらの措置により、送受信機５０が発生した電磁波が電磁空洞８０の内部で適応表面６０によって複数回反射されてから、開口部１００（直接または半反射開口部）を介して壁２０の外側に送信される。その場合、この電磁波は、その送信前に容易に制御可能である。特に、振幅の大きいメインローブを持つ指向性アンテナと、あらゆる方向に配向可能なローブ（仰角と方位角）を持つアンテナとを、あらゆるタイプの送受信機と共に同時に形成可能である。さらに、適応表面６０の外への電磁放射損失が回避される。送受信機５０により送信された電磁波はほぼ全部が適応表面６０により反射されるので、そのため、ほとんどすべてのエネルギーが単一ビームすなわちメインローブに集中するようにエネルギー制御可能である。したがって、アンテナの有効性が高まる。さらに、送受信機５０と適応表面６０との間の全ての経路が電磁空洞８０の容積すなわち壁２０の内部に含まれるので、アンテナの効率はいっそう高くなり、アンテナの性能が上がる。
【００２９】
１つの実施例によれば、車体部品１０は、電磁空洞８０内で送受信機５０と開口部１００との間に配置された遮蔽板５５をさらに有し、壁２０の外側への送受信機５０の電磁波の直接放射を制限し、および／または電磁波を適応表面６０に向かって反射させる。
【００３０】
このようなハウジング９０は、車両２００の周辺にある空間内の物体を画像化するのに適したレーダー検知システムを形成する。そのため、車体部品１０は複数のアンテナを含むことができる。
【００３１】
このようなハウジング９０は、また、音響データおよび／または視覚データまたはメッセージ等のあらゆるタイプのデータ通信を行うのに適した無線通信システムを形成可能である。
【００３２】
電磁空洞内に送受信機５０と適応表面６０をこのように組み込むことによって、アンテナは、送受信機の任意の電磁放射を、空間のあらゆる方向に立体角で配向制御可能な放射に同時に変換できる。しかも、このアンテナは肉薄で非常に性能が良い。
【００３３】
図４に示した別の実施形態によれば、壁２０は２つの空洞８０ａと８０ｂとを含む。空洞８０ａは電磁波の伝搬専用であり、もう一つの空洞８０ｂは電磁波の受信専用である。このため、電磁空洞８０は、電磁波を反射可能な反射壁８５によって隔てられている。このような反射壁８５は、たとえば壁２０に一体成形可能である。その場合、各空洞８０ａ、８０ｂは少なくとも１つの開口部１００ａ、１００ｂを含む。
壁２０
【００３４】
壁２０は、バンパ１０の主要本体を構成する。壁２０は、電磁波のための空洞８０を形成する少なくとも１つのハウジング９０を含む。
【００３５】
ハウジング９０は、壁２０の全部または一部とすることができる。
【００３６】
空洞８０は、空気または、壁２０の残りの部分を形成するプラスチック材料とは異なるプラスチック材料または、壁２０の残りの部分を形成するプラスチック材料と同じプラスチック材料で充填可能である（この場合、ハウジング９０は壁２０内に含まれる容積を構成する）。
【００３７】
空洞８０が材料で充填されるとき、この材料は電磁波を透過するか、あるいは半透過性である。そのため、空洞８０は、たとえば以下のプラスチック：ＰＰ、ＰＰ−ＥＤＭ、ＡＳＡ、ＡＢＳ−ＰＣ、ＰＣ−ＰＥＴ、ＰＭＭＡ−ＡＳＡ、およびＰＣの中から選択可能なプラスチック材料から形成可能である。好ましくは、この材料は、エネルギー散逸を最小化するために長鎖ポリマーの中から選択される。
【００３８】
有利には、ハウジング９０の厚さが、電磁波の波長の半分を上回る。
【００３９】
１つの実施例によれば、ハウジング９０は、最小長さ８０ｃｍ、最小幅３０ｃｍであり、厚さが５ｍｍ未満、好ましくは２ｍｍ〜４ｍｍである。
【００４０】
ハウジング９０は、送受信機５０に対して適応表面６０を最適に使用することを可能にし、すなわち、ハウジングは、空洞８０内に送信または入力される電磁波のエネルギー全体が適応表面６０で反射されるようにすることをめざしている。このようなレーダーの動作原理ならびに変形実施形態については仏国特許第１８５７６６９号明細書に記載されている。
【００４１】
１つの特定の実施形態によれば、ハウジング９０は、空洞８０の内部で電磁波を反射可能な反射素子７０を含む。
【００４２】
そのため、送受信機５０が発生した電磁波またはハウジング９０内に入る電磁波が、空洞の内部で反射素子と適応表面によって複数回反射されてから、開口部（直接開口部または半反射開口部）を介してハウジング９０の外側に送信され、あるいは送受信機５０により受信される。そのため、送信または伝搬される電磁波のエネルギーは最大化される。
【００４３】
したがって、反射素子７０と適応表面６０は、送受信機５０から送信／受信される電磁波のための電磁空洞８０を画定する。
【００４４】
有利な１つの実施形態によれば、反射素子７０は、送受信機５０から送信された電磁波を適応表面６０のほぼ全面に反射可能である。
【００４５】
この実施形態によれば、反射素子７０は電磁波の導波管である。
【００４６】
図２に示した別の実施形態によれば、反射素子７０は、車体部品１０の外面３０の少なくとも一部に固定される第１のフィルムである。有利には、この第１のフィルムを金属フィルムとすることができる。このフィルムは、壁２０内に一体成形されるか、壁２０に接着可能である。
【００４７】
上記フィルムは、たとえばＰＰ、ＰＰ−ＥＰＤＭ、ＡＳＡ、ＡＢＳ−ＰＣ、ＰＣ−ＰＥＴ、ＰＭＭＡ−ＡＳＡ、ＰＣまたはＰＵで形成される保護コーティングで同様に被覆可能である。
【００４８】
反射素子７０は、電磁空洞８０の少なくとも１つの開口部１００を含む。
【００４９】
この開口部は、複数の基本開口部から構成可能であり、これらの基本開口部は車体部品の外面３０にある。
【００５０】
開口部は、また、以下のような１つまたは複数の半反射素子から少なくとも部分的に構成可能である：
・金属薄膜（反射素子７０を構成するフィルムよりも薄い膜）
・金属素子内の穴のネットワーク
・金属製の形状のネットワークで、一つの穴又は形状は、、電磁波の波長の半分未満の距離で隣接する他の穴または形状から隔てられる。
【００５１】
１つの実施形態によれば、半反射素子が１つまたは複数の開口調整素子を含み、電磁波が上記開口部によって反射および／または伝搬される方法を変更する。開口調整素子にはコントローラが接続されており、開口パラメータに基づいてこれらの開口調整素子を制御する。
送受信機５０
【００５２】
送受信機５０は、壁２０における送受信機５０の配向によって、壁２０の厚み内で適応表面６０に向かって主に直接的に電磁波３００を送信および／または受信することができる。送受信機５０は、モノポール、ダイポール、導波管、放射導波管および平面アンテナを含むリストから選択可能である。
【００５３】
送受信機５０は、様々な周波数で電磁波を送信および／または受信可能である。空間内の物体を特定するのに適したレーダー検知システムのような用途では、送受信機５０は、７７ＧＨｚの電磁波を特に送信および／または受信可能である。
【００５４】
送受信機５０は、特に、プロセッサ１１０と、これを供給する電源素子とに接続されている。そのため、送受信機５０は、臨界接続要件を満たすために空洞８０のインピーダンスと、インピーダンス整合可能である。
適応表面６０
【００５５】
適応表面６０は、壁２０の外に所定の方向に電磁波を配向可能である。適応表面６０は、空洞８０の全部または一部を被覆可能である。
【００５６】
公知の適応表面の変形実施形態は、たとえば米国特許第２００４／２６３４０８号明細書または米国特許第２０１６／０２３３９７１号明細書に記載されている。このような適応表面を形成するために多数の技術が知られており、これらは時には、適応インピーダンス表面、メタサーフェス、波形整形装置、反射アレイと呼ばれている。
【００５７】
１つの特定の実施形態によれば、適応表面６０は、周期的または非周期的に配分されて適応表面６０のインピーダンスを変更するとともに、この適応表面６０により電磁波が反射および／または伝搬される方法を変更する複数の調整素子６２を含む。これらの調整素子６２は、たとえば、トランジスタ、ダイオード、バリキャップダイオード（「variable capacity」）および／または圧電素子等の電子部品を含むことができる。
【００５８】
適応表面の調整素子６２は、空洞内に任意に配分可能である。なぜなら多数の反射が空洞８０の内面を確実に走査し、したがって、すべての調整素子６２に影響を与えるからである。これらの調整素子６２は、複数の集合にまとめることができる。各集合内では調整素子６２を同一周波数に合わせることができるが、その一方で、グループ間では、調整素子６２は、あらかじめ決められた通過帯域に含まれる異なる複数の周波数に合わせられる。
【００５９】
適応表面６０は、パラメータに基づいて調整素子６２を制御可能なコントローラ１１０に接続され、これらのパラメータは、電磁波の所望の方向に基づいて、また場合によっては所望の分極に応じて決定される。これらのパラメータは特に、周波数、電力、適応表面の調整素子の端子における制御電圧、調整素子の空間的な配置、調整素子の持続時間である。
【００６０】
有利には、コントローラ１１０が送受信機と接続されて同期され、使用される撮像方式に応じてパラメータを調整する。
【００６１】
これらのパラメータは、モデルの計算または反復方法によってメモリ内に予め記録しておくことができる。
【００６２】
特に、複数の方向に対してパラメータセットたとえば、水平面の角度（方位角）と垂直面の角度（仰角）とに応じた角方向のペアの集合の値を、コントローラのメモリに記録可能である。
【００６３】
そのため、コントローラ１１０は、送受信機５０から送信される電磁波が外面３０の前に位置する三次元空間を走査するように、あるいは、もっと一般的には送受信機５０が車両２００の周辺に位置する三次元空間を走査するように、調整素子６２を制御可能である。
【００６４】
コントローラ１１０は、同様に、温度変化または車体部品が受けた衝撃による変形といった車体部品１０の変形後、調整素子６２を再構成可能である。
【００６５】
好ましい１つの実施形態によれば、適応表面６０は、車体部品１０の内面４０の少なくとも一部に固定された、電極および共振器を支持する第２のフィルムを構成する。この第２のフィルムは、壁２０に一体成形されるか、壁２０に接着可能である。
【００６６】
別の実施形態によれば、適応表面６０は、車体部品１０の内面４０の少なくとも一部に直接プリントされた電極および共振器を含む。
【００６７】
別の実施形態によれば、適応表面６０の電極と共振器は、車体部品１０のプラスチックの活性化により車体部品１０の内面４０の少なくとも一部に直接形成される。
【００６８】
本発明は、また、本発明による車体部品１０を含む電動陸上車両２００に関する。
【００６９】
有利には、コントローラ１１０は、送受信機５０から送信される電磁波が電動陸上車両２００の周辺の三次元空間を走査するように、調整素子６２を制御可能である。
【００７０】
本発明は、提示された実施形態に制限されるものではなく、当該技術の専門家にとっては他の実施形態も明らかになるだろう。特に、円筒部分の形状を呈する反射素子７０と組み合わせた線形の送受信機５０を検討することもできるだろう。
【符号の説明】
【００７１】
１０  車体部品
２０  車体部品１０の壁
３０  車両２００の外側に向くように構成された壁２０の外面
４０  外面３０の反対側にある、壁２０の内面
５０  送受信機
５５  電磁空洞８０内に配置される遮蔽板
６０  適応表面
６２  適応表面６０の調整素子
７０  反射素子
８０  電磁空洞
８０ａ、８０ｂ  ２個の電磁空洞
８５  電磁空洞８０ａと８０ｂを分離する反射壁
９０  少なくとも１つの送受信機５０と、少なくとも１つの適応表面６０と、少なくとも１つの反射素子７０を含むアンテナアセンブリ
１００  電磁空洞８０の開口部
１００ａ  電磁空洞８０ａの開口部
１００ｂ  電磁空洞８０ｂの開口部
１１０  適応表面６０のコントローラ
２００  電動陸上車両
【図１】
2021536574.tif 000003
【図２】
2021536574.tif 000004
【図３】
2021536574.tif 000005
【図４】
2021536574.tif 000006
【国際調査報告】
2021536574.tif 000007
2021536574.tif 000008
2021536574.tif 000009
2021536574.tif 000010
2021536574.tif 000011